(57)【要約】【課題】            容器を倒立で陳列し、テスター用繰り出し構造部と市販棒状化粧料繰り出し容器を選択的に装着できるテスター用棒状化粧料容器において、市販棒状化粧料繰り出し容器合の不用意な脱落を防止する。【解決手段】        テスター用棒状化粧料を内装したテスター用繰り出し構造部と、このテスター用繰り出し構造部の下部が挿入、保持する保持部を設けたベースと、このベースと着脱可能に係合し、先端に前記テスター用繰り出し構造部が挿入可能で、先端が突出する突出穴を穿設したカバーとより成り、前記ベースには市販棒状化粧料を収納した市販棒状化粧料繰り出し容器の底部が当接する当接部を設け、前記カバーの突出穴は、前記市販棒状化粧料繰り出し容器のキャップ嵌合部が底面に当接して、市販棒状化粧料繰り出し容器をベースとカバー内で挟持可能とし、テスター用繰り出し構造部と市販棒状化粧料繰り出し容器とを選択して装着できるようにする。【選択図】          図１
2015104414.tif 000002
【特許請求の範囲】
【請求項１】
身筒（１１）及びスリーブ（１２）を相対回転することにより、テスター用棒状化粧料（９９）を保持した紅皿（１３）を昇降動させる繰り出し機構（１４）を内装したテスター用繰り出し構造部（１）と、該テスター用繰り出し構造部（１）の下部が挿入され、身筒（１１）を回動不能にしかし抜脱可能に係合してテスター用繰り出し構造部（１）を保持する保持部（２１，５３）を設けたベース（２）と、該ベース（２）と着脱可能に係合し、先端に前記テスター用繰り出し構造部（１）が挿入可能で、スリーブ（１２）の先端が突出する突出穴（３１，５８）を穿設したカバー（３）とより成り、
前記ベース（２）には市販棒状化粧料（１００）を収納した市販棒状化粧料繰り出し容器（４）の底部（４１）が当接する当接部（２２，５０）を設け、前記カバー（３）の突出穴（３１，５８）は、前記市販棒状化粧料繰り出し容器（４）のキャップ嵌合部（４２）が底面（３４，５７）に当接して、市販棒状化粧料繰り出し容器（４）をベース（２）とカバー（３）内で挟持可能とし、
テスター用繰り出し構造部（１）と市販棒状化粧料繰り出し容器（４）とを選択して装着できるようにしたことを特徴とするテスター用棒状化粧料容器。
【請求項２】
前記カバー（３）の突出穴（３１）の内径を、前記市販棒状化粧料繰り出し容器（４）のスリーブ（４４）外径よりも僅かに大径にして、カバー（３）底面（３４）に市販棒状化粧料繰り出し容器（４）のキャップ嵌合部（４２）先端が当接するようにしたことを特徴とする請求項１記載のテスター用棒状化粧料容器。
【請求項３】
前記カバー（３）の突出穴（３１）の内径を、前記市販棒状化粧料繰り出し容器（４）のキャップ嵌合部（４２）外径よりも僅かに大径にして、カバー（３）底面（３４）に市販棒状化粧料繰り出し容器（４）のキャップ嵌合部（４２）のキャップ当接部分（４３）が当接するようにしたことを特徴とする請求項１記載のテスター用棒状化粧料容器。
【請求項４】
前記ベース（２）とカバー（３）をヒンジ（５）により開閉可能に連結した事を特徴とする請求項１乃至請求項３、いずれかの項記載のテスター用棒状化粧料容器。
【請求項５】
身筒（１１）及びスリーブ（１２）を相対回転することにより、テスター用棒状化粧料（９９）を保持した紅皿（１３）を昇降動させる繰り出し機構（１４）を内装したテスター用繰り出し構造部（１）と、該テスター用繰り出し構造部（１）の下部が挿入され、身筒（１１）を回動不能にしかし抜脱可能に係合してテスター用繰り出し構造部（１）を保持する保持部（６１）を設け、先端より前記テスター用繰り出し構造部（１）のスリーブ（１２）が突出するホルダー（６）とより成り、
該ホルダー（６）には市販棒状化粧料（１００）を収納した市販棒状化粧料繰り出し容器（４）底部（４１）が当接する当接部（６２）を設け、口元側壁の対向した位置に、軸線と直行した一対の水平スリット（６３）を穿設し、該水平スリット（６３）の口元側に肉薄で湾曲したブリッジ状のストッパー片（６４）を構成し、該ストッパー片（６４）は、外方向に湾曲した時、市販棒状化粧料繰り出し容器（４）の外装体（４５）が挿入可能となり、内方向に湾曲した時、ホルダー（６）内に突出し、その軸心を中心とした内接円径はテスター用繰り出し構造部（１）のスリーブ（１２）外径及び市販棒状化粧料繰り出し容器（４）のスリーブ（４４）外径よりも大径で、キャップ嵌合部（４２）に当接可能な径として市販棒状化粧料繰り出し容器（４）をホルダー（６）内に挟持可能とし、
テスター用繰り出し構造部（１）と市販棒状化粧料繰り出し容器（４）とを選択して装着できるようにしたことを特徴とするテスター用棒状化粧料容器。
【請求項６】
身筒（１１）及びスリーブ（１２）を相対回転することにより、テスター用棒状化粧料（９９）を保持した紅皿（１３）を昇降動させる繰り出し機構（１４）を内装したテスター用繰り出し構造部（１）と、該テスター用繰り出し構造部（１）の下部が挿入され、身筒（１１）を回動不能にしかし抜脱可能に係合してテスター用繰り出し構造部（１）を保持する保持部（７９）を設け、先端より前記テスター用繰り出し構造部（１）のスリーブ（１２）が突出するホルダー（６）とより成り、
該ホルダー（６）には市販棒状化粧料繰り出し容器（４）底部（４１）が当接する当接部（７７）を設け、口元より軸線に平行な一対の切り欠き（７１）を刻設して構成する弾性を有した舌片（７２）を対向した位置に設け、該舌片（７２）の先端内壁に保持凸部（７３）を突設し、該保持凸部（７３）間の軸心を中心とした内接円径はテスター用繰り出し構造部（１）のスリーブ（１２）外径及び市販棒状化粧料繰り出し容器（４）のスリーブ（４４）外径よりも大径で、市販棒状化粧料繰り出し容器（４）の外装体（４５）を乗り越え可能で、かつキャップ嵌合部（４２）に当接可能な径として市販棒状化粧料繰り出し容器（４）をホルダー（６）内に挟持可能とし、
テスター用繰り出し構造部（１）と市販棒状化粧料繰り出し容器（４）とを選択して装着できるようにしたことを特徴とするテスター用棒状化粧料容器。
【請求項７】
前記ベース（２）若しくはホルダー（６）の全体若しくは一部を、収納するテスター用棒状化粧料（９９）と同色に着色した事を特徴とする請求項１乃至請求項６、いずれかの項記載のテスター用棒状化粧料容器。
【請求項８】
前記ベース（２）若しくはホルダー（６）に、収納するテスター用棒状化粧料（９９）と同色に着色した色チップ（７）を止着した事を特徴とする請求項１乃至請求項６、いずれかの項記載のテスター用棒状化粧料容器。
【発明の詳細な説明】
【技術分野】
【０００１】
本発明は、店頭などに陳列し、販売されている口紅等の棒状化粧料の色を確認できるテスター用棒状化粧料容器に関するものである。
【背景技術】
【０００２】
従来から、特許文献１の図１３及び図１５にあるように、口紅などの棒状化粧料を販売する際、店頭にテスター陳列台を設置し、この陳列台に販売する棒状化粧料の色の数だけテスター用棒状化粧料容器を陳列し、消費者が自由に試用できるようにしていた。このテスター用棒状化粧料容器は、市販される棒状化粧料容器と同様の、棒状化粧料を出没させる繰り出し機構を内装し、テスター用棒状化粧料の反出没側には、収納されたテスター用棒状化粧料の色が外部から見て判別できるよう、着色された色見本が設けられていた。そして、色見本が見易いよう、倒立状態でテスター用棒状化粧料の出没側を陳列台の挿入穴に挿入、陳列していた。そして、テスター用棒状化粧料容器が長時間陳列されていると、テスター用棒状化粧料が試用を繰り返され、なくなってしまう場合がある。このような場合には、テスター用棒状化粧料を新しいものと交換する必要があるが、テスター用棒状化粧料器は市販棒状化粧料容器と異なり、継続的に生産しているものではないので、再入手は困難であった。
【０００３】
そのため、テスター用棒状化粧料容器内のテスター用棒状化粧料を収容した繰り出し構造部を取り外し可能にしておき、なくなった繰り出し構造部の代わりに容易に入手できる市販の棒状化粧料容器を装着できるようにした構成が特許文献１及び特許文献２に記載されている。この構成の場合、市販棒状化粧料繰り出し容器は、意匠的な外装を有しているために、テスター用繰り出し構造部に比べて太くなっていた。そのため、テスター用繰り出し構造部はアダプターを介して取り付けられていた。しかも、テスター用繰り出し構造部及び市販棒状化粧料繰り出し容器の抜き差しは、反対側に色見本が設けられている関係から、棒状化粧料の出没側から行われていた。しかも、陳列は倒立状態で行われており、テスター用繰り出し構造部は軽量のため問題はないが、市販棒状化粧料繰り出し容器はテスター用繰り出し構造部に比べて重いため、絶えず抜け方向に力が加わっており、試用を繰り返しているうちに不用意に市販棒状化粧料繰り出し容器が脱落してしまう危険性があった。
【先行技術文献】
【特許文献】
【０００４】
【特許文献１】特許２８５７０７９号公報
【特許文献２】特許３４０３６５４号公報
【発明の概要】
【発明が解決しようとする課題】
【０００５】
本発明は以上のような問題点に鑑み、従来のテスター用棒状化粧料容器の陳列方法、市販棒状化粧料繰り出し容器の装着機能などはそのままに、市販棒状化粧料繰り出し容器を装着した場合の不用意な脱落を防止したテスター用棒状化粧料容器の提供を目的とする。
【課題を解決するための手段】
【０００６】
以上のような課題を解消するため、本発明のテスター用棒状化粧料容器は、身筒（１１）及びスリーブ（１２）を相対回転することにより、テスター用棒状化粧料（９９）を保持した紅皿（１３）を昇降動させる繰り出し機構（１４）を内装したテスター用繰り出し構造部（１）と、このテスター用繰り出し構造部（１）の下部が挿入され、身筒（１１）を回動不能にしかし抜脱可能に係合してテスター用繰り出し構造部（１）を保持する保持部（２１，５３）を設けたベース（２）と、このベース（２）と着脱可能に係合し、先端に前記テスター用繰り出し構造部（１）が挿入可能で、スリーブ（１２）の先端が突出する突出穴（３１，５８）を穿設したカバー（３）とより成り、前記ベース（２）には市販棒状化粧料（１００）を収納した市販棒状化粧料繰り出し容器（４）の底部（４１）が当接する当接部（２２，５０）を設け、前記カバー（３）の突出穴（３１，５８）は、前記市販棒状化粧料繰り出し容器（４）のキャップ嵌合部（４２）が底面（３４，５７）に当接して、市販棒状化粧料繰り出し容器（４）をベース（２）とカバー（３）内で挟持可能とし、テスター用繰り出し構造部（１）と市販棒状化粧料繰り出し容器（４）とを選択して装着できるようにしたものである。
【０００７】
または、身筒（１１）及びスリーブ（１２）を相対回転することにより、テスター用棒状化粧料（９９）を保持した紅皿（１３）を昇降動させる繰り出し機構（１４）を内装したテスター用繰り出し構造部（１）と、このテスター用繰り出し構造部（１）の下部が挿入され、身筒（１１）を回動不能にしかし抜脱可能に係合してテスター用繰り出し構造部（１）を保持する保持部（６１）を設け、先端より前記テスター用繰り出し構造部（１）のスリーブ（１２）が突出するホルダー（６）とより成り、このホルダー（６）には市販棒状化粧料（１００）を収納した市販棒状化粧料繰り出し容器（４）底部（４１）が当接する当接部（６２）を設け、口元側壁の対向した位置に、軸線と直行した一対の水平スリット（６３）を穿設し、この水平スリット（６３）の口元側に肉薄で湾曲したブリッジ状のストッパー片（６４）を構成し、このストッパー片（６４）は、外方向に湾曲した時、市販棒状化粧料繰り出し容器（４）の外装体（４５）が挿入可能となり、内方向に湾曲した時、ホルダー（６）内に突出し、その軸心を中心とした内接円径はテスター用繰り出し構造部（１）のスリーブ（１２）外径及び市販棒状化粧料繰り出し容器（４）のスリーブ（４４）外径よりも大径で、キャップ嵌合部（４２）に当接可能な径として市販棒状化粧料繰り出し容器（４）をホルダー（６）内に挟持可能とし、テスター用繰り出し構造部（１）と市販棒状化粧料繰り出し容器（４）とを選択して装着できるようにしたものである。
【０００８】
または、身筒（１１）及びスリーブ（１２）を相対回転することにより、テスター用棒状化粧料（９９）を保持した紅皿（１３）を昇降動させる繰り出し機構（１４）を内装したテスター用繰り出し構造部（１）と、このテスター用繰り出し構造部（１）の下部が挿入され、身筒（１１）を回動不能にしかし抜脱可能に係合してテスター用繰り出し構造部（１）を保持する保持部（７９）を設け、先端より前記テスター用繰り出し構造部（１）のスリーブ（１２）が突出するホルダー（６）とより成り、このホルダー（６）には市販棒状化粧料繰り出し容器（４）底部（４１）が当接する当接部（７７）を設け、口元より軸線に平行な一対の切り欠き（７１）を刻設して構成する弾性を有した舌片（７２）を対向した位置に設け、この舌片（７２）の先端内壁に保持凸部（７３）を突設し、この保持凸部（７３）間の軸心を中心とした内接円径はテスター用繰り出し構造部（１）のスリーブ（１２）外径及び市販棒状化粧料繰り出し容器（４）のスリーブ（４４）外径よりも大径で、市販棒状化粧料繰り出し容器（４）の外装体（４５）を乗り越え可能で、かつキャップ嵌合部（４２）に当接可能な径として市販棒状化粧料繰り出し容器（４）をホルダー（６）内に挟持可能とし、テスター用繰り出し構造部（１）と市販棒状化粧料繰り出し容器（４）とを選択して装着できるようにしたものである。
【発明の効果】
【０００９】
本発明は以上のように、テスター用棒状化粧料容器を倒立状態で陳列する陳列方法、テスター用繰り出し構造部（１）と市販棒状化粧料繰り出し容器（４）を選択的に装着できるようにした機能、などは従来のテスター用棒状化粧料容器と変わらず、市販棒状化粧料繰り出し容器（４）を装着する場合には、テスター用棒状化粧料容器の中に挟み込むような状態で保持しているため、試用を繰り返しても市販棒状化粧料繰り出し容器（４）が不用意に脱落してしまうようなことはない。しかもアダプターなどの特別なパーツを使用せずに実施できるため、本発明を実施したとしてもコストアップの要因とはならない。
【図面の簡単な説明】
【００１０】
【図１】本発明実施形態１のテスター用棒状化粧料容器にテスター用繰り出し構造部を装着した状態の正面断面図である。
【図２】本発明実施形態１のテスター用棒状化粧料容器に市販棒状化粧料繰り出し容器を装着した状態の正面断面図である。
【図３】本発明実施形態１のテスター用棒状化粧料容器に市販棒状化粧料繰り出し容器を装着する説明図である。
【図４】本発明実施形態２のテスター用棒状化粧料容器に市販棒状化粧料繰り出し容器を装着した状態の正面断面図である。
【図５】本発明実施形態３のテスター用棒状化粧料容器にテスター用繰り出し構造部を装着した状態の正面断面図である。
【図６】本発明実施形態３のテスター用棒状化粧料容器に市販棒状化粧料繰り出し容器を装着した状態の正面断面図である。
【図７】本発明実施形態３のテスター用棒状化粧料容器に市販棒状化粧料繰り出し容器を装着する説明図である。
【図８】本発明実施形態４のテスター用棒状化粧料容器にテスター用繰り出し構造部を装着した状態の正面断面図である。
【図９】図８に於けるＡ矢視図である。
【図１０】図８に於ける底面図である。
【図１１】本発明実施形態４のテスター用棒状化粧料容器に市販棒状化粧料繰り出し容器を装着した状態の正面断面図である。
【図１２】図１１に於ける底面図である。
【図１３】本発明実施形態４のテスター用棒状化粧料容器に市販棒状化粧料繰り出し容器を装着する説明図である。
【図１４】本発明実施形態４のテスター用棒状化粧料容器に市販棒状化粧料繰り出し容器を装着する際の底面図である。
【図１５】本発明実施形態５のテスター用棒状化粧料容器にテスター用繰り出し構造部を装着した状態の正面断面図である。
【図１６】図１５に於ける底面図である。
【図１７】図１５に於けるＢ矢視図である。
【図１８】本発明実施形態５のテスター用棒状化粧料容器に市販棒状化粧料繰り出し容器を装着した状態の正面断面図である。
【図１９】本発明実施形態５のテスター用棒状化粧料容器に市販棒状化粧料繰り出し容器を装着する説明図である。
【図２０】本発明実施形態のテスター用棒状化粧料容器に装着されるテスター用繰り出し構造部の正面半断面図である。
【図２１】本発明実施形態のテスター用棒状化粧料容器に装着される市販棒状化粧料繰り出し容器の正面半断面図である。
【発明を実施するための形態】
【００１１】
本発明を実施するための形態１を説明する。まず、テスター用棒状化粧料９９を収納したテスター用繰り出し構造部１をセットした場合について、図１によって説明する。本発明実施形態１テスター用棒状化粧料容器は、テスター用棒状化粧料９９を収納したテスター用繰り出し構造部１、ベース２、及びカバー３より成っており、テスター用繰り出し構造部１の先端がカバー３より突出し、倒立状態でテスター陳列台８の挿入穴８１に挿入され、陳列されている。
【００１２】
前記テスター用繰り出し構造部１は、図２０に示すように身筒１１とスリーブ１２が回動自在に脱落不能に連結している。このテスター用繰り出し構造部１には、テスター用棒状化粧料９９を保持した紅皿１３が内装され、更に前記身筒１１とスリーブ１２が相対回転することによって紅皿１３を昇降動させる繰り出し機構１４を内装している。また、身筒１１の下部はスリーブ１２の下端より突出している。この突出した身筒１１の外側壁全周には、軸線と平行に回り止めローレット１５を刻設している。更に身筒１１の外側壁には、軸線と直行した係合凹溝１６を周設している。
【００１３】
前記ベース２は有底筒状をしており、開口側外側壁にカバー３が着脱可能に嵌合、連結する連結部２３を設けている。この連結部２３の外側壁には、係合突部２４を突設している。また、ベース２の内壁全周には、軸線と平行に複数の板状の放射リブ２５を設けている。この放射リブ２５は、軸心に向かって、前記テスター用繰り出し構造部１の身筒１１の外径よりも小径の位置まで突出している。この放射リブ２５の開口部付近には、前記身筒１１下部が挿入可能で、回り止めローレット１５と回動不能に係合する保持部２１が設けられ、放射リブ２５との間に構成した段部２６に身筒１１の底部１７が当接するようになっている。更に、保持部２１の内側壁には、身筒１１の係合凹溝１６と抜脱可能に係合する保持突部２７を設け、テスター用繰り出し構造部１を回動不能にしかし抜脱可能に保持している。このベース２は、収納される棒状化粧料の色が判別できるように、テスター用棒状化粧料９９の色と一致した色に着色されている。
【００１４】
カバー３は、有底筒状をしており、底面３４に突出穴３１を穿設し、前記ベース２に保持されたテスター用繰り出し構造部１のスリーブ１２の先端が貫通し、外部に突出するようになっている。また、カバー３の開口側は、ベース２の連結部２３に嵌合しており、内側壁に連結部２３の係合突部２４と抜脱可能に係合する係合凹部３２を設けている。このカバー３は、ベース２に嵌合した状態でテスター用繰り出し構造部１を抜き差しできるようになっている。
【００１５】
次に本実施形態１のテスター用棒状化粧料容器に市販棒状化粧料繰り出し容器４をセットした場合について図２によって説明する。ベース２及びカバー３内には、市販棒状化粧料繰り出し容器４が保持され、市販棒状化粧料繰り出し容器４の先端がカバー３より突出し、倒立状態でテスター陳列台８の挿入穴８１に挿入され、陳列されている。
【００１６】
市販棒状化粧料繰り出し容器４は、図２１に示すように外装体４５、この外装体４５より突出したスリーブ４４、及びキャップ４６より成るが、本発明実施形態のテスター用棒状化粧料容器への装着はキャップ４６を取り去って行う。この市販棒状化粧料繰り出し容器４には、市販棒状化粧料１００を保持した紅皿４７が内装され、外装体４５とスリーブ４４を相対回転させることにより紅皿４７を昇降動させる繰り出し機構４８を内装している。
【００１７】
カバー３は、開口部側より市販棒状化粧料繰り出し容器４が挿入可能となっており、突出穴３１よりスリーブ４４が外部に突出するようになっている。この時、キャップ４６が抜脱可能に嵌合するキャップ嵌合部４２の先端がカバー３の底面３４に設けられた突出穴３１の周囲に当接して下方への脱落を防止している。更にカバー３の内周面には、軸線と平行に多数の保持リブ３３を突設し、外装体４５の外周に当接して市販棒状化粧料繰り出し容器４を径方向のガタツキなく保持している。また、ベース２の先端部は、カバー３に嵌合した際、市販棒状化粧料繰り出し容器４の底部４１が当接する当接部２２となっており、市販棒状化粧料繰り出し容器４をベース２の当接部２２とカバー３の底面３４の間に軸線方向のガタツキなく保持している。
【００１８】
本発明実施形態１のテスター用棒状化粧料容器よりテスター用繰り出し構造部１を除去し、市販棒状化粧料繰り出し容器４を装着する場合について図３により説明する。テスター用繰り出し構造部１の抜き差しは、ベース２にカバー３が嵌合した状態で行える。この状態でテスター用繰り出し構造部１を係合凹溝１６と保持突部２７の係合力に抗して抜き取ればよい。テスター用棒状化粧料容器に市販棒状化粧料繰り出し容器４を装着する場合には、テスター用繰り出し構造部１を除去し、ベース２よりカバー３を抜脱し、カバー３内に市販棒状化粧料容器４を挿入し、再度ベース２を嵌合させればよい。その結果、市販棒状化粧料繰り出し容器４のスリーブ４４はカバー３の突出穴３１より突出し、キャップ嵌合部４２の先端がカバー３の底面３４に当接した状態でベース２の先端の当接部２２が市販棒状化粧料繰り出し容器４の底部４１に当接して、軸線方向のガタツキをなくし、カバー３の保持リブ３３が市販棒状化粧料繰り出し容器４の外装体４５側面に当接して径方向のガタツキをなくし、安定した保持が可能となっている。
【００１９】
本発明実施形態２を説明する。実施形態１と本実施形態２の相違点は、カバー３に設けられた突出穴３１の内径が、市販棒状化粧料繰り出し容器４のキャップ嵌合部４２外径よりも僅かに大径とした点にある。その結果、図４に示したように、テスター用棒状化粧料容器に市販棒状化粧料繰り出し容器４を装着した際、スリーブ４４及び外装体４５のキャップ嵌合部４２が突出穴３１より突出し、カバー３の底面３４に、市販棒状化粧料繰り出し容器４にキャップ４６を嵌合させた際、キャップ４６の先端が当接するキャップ当接部分４３が当接する。そのため、テスター用棒状化粧料容器に市販棒状化粧料繰り出し容器４を装着した際のカバー３より突出する突出量Ｌが増え、繰り出し操作し易くなる。
【００２０】
本発明実施形態３を図５〜７により説明する。本実施形態３と前述した実施形態の相違点は、テスター用棒状化粧料容器のベース２とカバー３をヒンジ５により開閉自在に連結した点にある。その結果、ベース２とカバー３を一体に成形することが可能となり、省パーツとなる。
【００２１】
ベース２及びカバー３の反ヒンジ５側の開口縁部には、ベース２とカバー３が閉じた状態で係合し、かつ任意にその係合を解除できるフック５１及び係合部５２を設ける。
【００２２】
ベース２は天井面５５を有しており、この天井面５５より筒状の保持筒８５が垂下している。この保持筒８５の内径は、前記テスター用繰り出し構造部１の身筒１１よりも僅かに大径で、身筒１１部分が挿入可能な保持部５３となっている。この保持部５３には、前記身筒１１の回り止めローレット１５に係合する縦リブ５６及び、テスター用繰り出し構造部１の身筒１１の底部１７が天井面５５に当接した状態で係合凹溝１６に係合する保持突部５４を設け、テスター用繰り出し構造部１を回動不能に且つ、抜脱可能に係合保持している。また、この保持筒８５の先端部分は、市販棒状化粧料繰り出し容器４の底部４１に当接する当接部５０となっている。このベース２の先端部分には、色チップ７が止着されている。この色チップ７は、収納される棒状化粧料の色が判別できるように、テスター用棒状化粧料９９の色と一致した色に着色されている。
【００２３】
カバー３は有底筒状をしており、底面５７に突出穴５８を穿設し、前記ベース２に保持されたテスター用繰り出し構造部１のスリーブ１２が貫通し、外部に突出するようになっている。この突出穴５７の内径は、前記テスター用繰り出し構造部１のスリーブ１２外径よりも大径で、かつ市販棒状化粧料繰り出し容器４のキャップ嵌合部４２の外径よりも若干大径になっている。また、カバー３の開口側（ヒンジ５側）よりは、市販棒状化粧料繰り出し容器４が挿入可能となっており、突出穴５８よりスリーブ４４が外部に突出するようになっている。この時、キャップ嵌合部４２のキャップ当接部分４３がカバー３の突出穴５８の周囲に当接して下方へ脱落しないようになっている。更にカバー３の内周面には、軸線と平行に多数の保持リブ５９を突設し、外装体４５の外周に当接して市販棒状化粧料繰り出し容器４を径方向のガタツキなく保持している。また、市販棒状化粧料繰り出し容器４を、ベース２の保持部５３先端の当接部５０とカバー３の底面５７の間に軸線方向のガタツキなく保持している。尚、カバー３は、ベース２に嵌合した状態でテスター用繰り出し構造部１を抜き差しできるようになっている。
【００２４】
本発明実施形態３のテスター用棒状化粧料容器よりテスター用繰り出し構造部１を除去し、市販棒状化粧料繰り出し容器４を装着する場合について図７により説明する。テスター用繰り出し構造部１の抜き差しは、ベース２とカバー３が閉じた状態（フック５１と係合部５２が係合した状態）で行える。この状態でテスター用繰り出し構造部１を係合凹溝１６と保持突部５４の係合力に抗して抜き取ればよい。テスター用棒状化粧料容器に市販棒状化粧料繰り出し容器４を装着する場合には、テスター用繰り出し構造部１を除去し、フック５１と係合部５２の係合を解除してベース２を開き、その開口部よりカバー３内に市販棒状化粧料容器４を挿入し、再度ベース２を閉じてカバー３と係合させればよい。
【００２５】
本発明実施形態４を図８〜図１４より説明する。本実施形態４と前述した実施形態の相違点は、テスター用棒状化粧料容器がベース２とカバー３より構成するのではなく、ホルダー６の１パーツで構成した点にある。
【００２６】
ホルダー６は天井面６５を有しており、この天井面６５より筒状の保持筒６０が垂下している。この保持筒６０の内径は、前記テスター用繰り出し構造部１の身筒１１よりも僅かに大径で、身筒１１部分が挿入可能な保持部６１となっている。この保持部６１には、前記身筒１１の回り止めローレット１５に係合する縦リブ６７及び、テスター用繰り出し構造部１の身筒１１の底部１７が天井面６５に当接した状態で係合凹溝１６に係合する保持突部６８を設け、テスター用繰り出し構造部１を回動不能に且つ、抜脱可能に係合保持している。また、この保持筒６０の先端部分は、市販棒状化粧料繰り出し容器４の底部４１に当接する当接部６２となっている。ホルダー６の内周面には、軸線と平行に多数の保持リブ６９を突設し、市販棒状化粧料繰り出し容器４の外装体４５の外周に当接して市販棒状化粧料繰り出し容器４を径方向のガタツキなく保持する。このホルダー６の先端部分には、色チップ７が止着されている。この色チップ７は、収納される棒状化粧料の色が判別できるように、テスター用棒状化粧料９９の色と一致した色に着色されている。
【００２７】
更にホルダー６の口元側壁の対向した位置に、軸線と直行した一対の水平スリット６３を穿設している。この水平スリット６３の口元側には、肉薄で湾曲したブリッジ状のストッパー片６４を構成している。このストッパー片６４は、中央部分を押圧することによって突出方向が反転するようになっている。ストッパー片６４が内方向に湾曲すると、図１０及び図１２に示したようにホルダー６内に突出し、その軸心を中心とした内接円径はテスター用繰り出し構造部１のスリーブ１２外径及び市販棒状化粧料繰り出し容器４のキャップ嵌合部４２外径より大径となっている。その結果、テスター用繰り出し構造部１は、図８及び図１０に示したようにストッパー片６４の湾曲方向に関係なく抜き差しできる。また、市販棒状化粧料繰り出し容器４は、ストッパー片６４が外方向に湾曲すると、図１４に示したようにホルダー６の開口側より、市販棒状化粧料繰り出し容器４の外装体４５が挿入可能となり、ストッパー片６４が内方向に湾曲すると、図１１及び図１２に示したようにキャップ嵌合部４２のキャップ当接部分４３が当接して、前記保持部６１の当接部６６との間に脱落不能に挟持可能となる。
【００２８】
本発明実施形態４のテスター用棒状化粧料容器よりテスター用繰り出し構造部１を除去し、市販棒状化粧料繰り出し容器４を装着する場合について図１３により説明する。テスター用繰り出し構造部１の抜き差しは、ストッパー片６４の湾曲方向に関係なく行える。この状態でテスター用繰り出し構造部１を係合凹溝１６と保持突部６８の係合力に抗して抜き取ればよい。テスター用棒状化粧料容器に市販棒状化粧料繰り出し容器４を装着する場合には、テスター用繰り出し構造部１を除去し、ストッパー片６４の湾曲方向を外方向にして、ホルダー６内に市販棒状化粧料繰り出し容器４を挿入し、再度ストッパー片６４の湾曲方向を内方向にして、市販棒状化粧料繰り出し容器４をホルダー６内に保持させればよい。
【００２９】
本発明実施形態５を図１５〜１９より説明する。本実施形態５と前述した実施形態４の相違点は、市販棒状化粧料繰り出し容器４の保持方法にある。
【００３０】
ホルダー６は天井面７４を有しており、この天井面７４の側壁よりは、軸線と平行に複数の板状の放射リブ７５を突設している。この放射リブ７５は、前記テスター用繰り出し構造部１の身筒１１下部が挿入可能で、回り止めローレット１５と回動不能に係合している。更に、放射リブ７５の内側壁には、テスター繰り出し構造部１の身筒１１の底部１７が天井面７４に当接した状態で係合凹溝１６と抜脱可能に係合する保持突部７６を設け、図１５のようにテスター用繰り出し構造部１を回動不能にしかし抜脱可能に保持している。また、この放射リブ７５の先端部分は、市販棒状化粧料繰り出し容器４の底部４１に当接する当接部７７となっている。ホルダー６の内周面には、軸線と平行に多数の保持リブ７８を突設し、この保持リブ７８が市販棒状化粧料繰り出し容器４の外装体４５の外周に当接して図１８のように市販棒状化粧料繰り出し容器４を径方向のガタツキなく保持する。このホルダー６の先端部分には、色チップ７が止着されている。この色チップ７は、収納される棒状化粧料の色が判別できるように、テスター用棒状化粧料９９の色と一致した色に着色されている。
【００３１】
更に図１７のようにホルダー６の口元の対向した位置に、軸線と平行に２本の切り欠き７１を刻設し、この切り欠き７１の間に弾性を有した舌片７２を構成している。この舌片７２の先端内側壁には、保持凸部７３を突設している。この保持凸部７３は、ホルダー６内に突出し、その軸心を中心とした内接円径は図１５及び図１６のようにテスター用繰り出し構造部１のスリーブ１２外径よりも大径で、図１８のように市販棒状化粧料繰り出し容器４のキャップ嵌合部４２より大径で、外装体４５外径よりも小径となっている。その結果、テスター用繰り出し構造部１は、保持凸部７３に関係なく抜き差しできる。また、市販棒状化粧料繰り出し容器４は、舌片７２を変形させて保持凸部７３が市販棒状化粧料繰り出し容器４の外装体４５を乗り越え、挿入可能となり、保持凸部７３がキャップ嵌合部４２のキャップ当接部分４３に係合して、前記放射リブ７５の当接部６６との間に脱落不能に挟持される。
【００３２】
本発明実施形態５のテスター用棒状化粧料容器よりテスター用繰り出し構造部１を除去し、市販棒状化粧料繰り出し容器４を装着する場合について説明する。テスター用繰り出し構造部１の抜き差しは、テスター用繰り出し構造部１を係合凹溝１６と保持突部７６の係合力に抗して抜き取ればよい。テスター用棒状化粧料容器に市販棒状化粧料繰り出し容器４を装着する場合には、テスター用繰り出し構造部１を除去し、ホルダー６内に市販棒状化粧料繰り出し容器４を挿入し、舌片７２を変形させて保持凸部７３が外装体４５を乗り越え、キャップ嵌合部４２のキャップ当接部分４３に係合させて市販棒状化粧料繰り出し容器４をホルダー６内に保持させればよい。
【実施例】
【００３３】
以上のように、本発明を実施する形態について説明したが、テスター用繰り出し構造部１は、市販棒状化粧料繰り出し容器４の外装体４５を除いた構造部分を流用して構成することも可能である。この場合、市販棒状化粧料繰り出し容器４の製造時に発生した不良のうち、機能的な不良以外を救済、流用することが可能となる。逆に、テスター用繰り出し構造部１の繰り出し機構１４と、市販棒状化粧料繰り出し容器４の繰り出し機構４８のメカニズムを一致させる必要もない。また、実施形態においては、テスター用繰り出し構造部１の繰り出し機構１４と、市販棒状化粧料繰り出し容器４の繰り出し機構４８は、相対回転により昇降動する繰り出し機構を説明したが、摺動操作による繰り出し機構など、機構による制限はない。
【００３４】
また、テスター用繰り出し構造部１を保持する保持部２１，５３，６１、７９は、軸線と平行に設けた多数の放射リブ２５，７５、若しくは保持筒６０，８５より成る構成を説明したが、保持部２１，５３，６１、７９の構成はどちらでも良く、その構成によって実施形態が限定されるようなことはない。テスター用繰り出し構造部１の底部１７が当接する部位も、段部２６を特別に設けても、天井面５５，６５，７４であっても、その構成によって実施形態が限定されるようなことはない。テスター用繰り出し構造部１を回動不能に係合保持する構成も、回り止めローレット１５と放射リブ２５、７５若しくは縦リブ５６、６７の組み合わせから成る構成に限定されるものではない。同様に、テスター用繰り出し構造部１を抜脱可能に係合保持する係合凹溝１６と保持突部２７，５４，６８，７６の組み合わせも、逆にすることも可能である。
【００３５】
実施形態１においては、ベース２の係合突部２４がカバー３の係合凹部３２と係合してベース２とカバー３が嵌合保持される構成を説明したが、その配置を逆にすることが可能であることは言うまでもない。また、例えばネジ結合などのベース２とカバー３が嵌合保持され、且つその嵌合が任意で解除できる構成を利用することも可能である。
【００３６】
実施形態３の構成の場合、ベース２を閉じた状態で保持し、かつその係合を任意で解除できるフック５１及び係合部５２の配置も逆にすることも可能である。この係合保持機構は、ベース２を閉じた状態で保持し、かつその係合を任意で解除できる機構であれば、実施可能であることは言うまでもない。また、実施形態３では突出穴５８の内径を市販棒状化粧料繰り出し容器４のキャップ嵌合部４２の外径よりも僅かに大径にして、カバー３の底面５７がキャップ当接部分４３に当接する構成を説明したが、実施形態１のように、突出穴５８の内径をテスター用繰り出し構造部１及び市販棒状化粧料繰り出し容器４のスリーブ１２，４４の外径よりも僅かに大径にして、カバー３の底面５７がキャップ嵌合部４２の先端に当接するよう構成してもよい。
【００３７】
また、収納される棒状化粧料の色が判別できるように、ベース２をテスター用棒状化粧料９９の色と一致した色に着色したり（実施形態１および２）、テスター用棒状化粧料９９の色と一致した色に着色した色チップ７を止着したり（実施形態３、４、５）しているが、その構成によって実施形態が限定されるようなことはなく、実施形態１及び２のベース２にテスター用棒状化粧料９９の色と一致した色に着色した色チップ７を止着することも、実施形態３のベース２や実施形態４及び５のホルダー６をテスター用棒状化粧料９９の色と一致した色に着色することも可能である。この着色方法は、樹脂の着色成形、塗装、印刷など、その仕様によって選定すればよく、少なくとも一部分を着色することにより色の判別効果は期待できる。
【符号の説明】
【００３８】
１・・・・・テスター用繰り出し構造部
２・・・・・ベース
３・・・・・カバー
４・・・・・市販棒状化粧料繰り出し容器
５・・・・・ヒンジ
６・・・・・ホルダー
７・・・・・色チップ
１１・・・・・身筒
１２、４４・・・・・スリーブ
１３・・・・・紅皿
１４・・・・・繰り出し機構
２１、５３、６１、７９・・・・・保持部
２２、５０、６２、７７・・・・・当接部
３１、５８・・・・・突出穴
３４・・・・・底面
４１・・・・・底部
４２・・・・・キャップ嵌合部
４３・・・・・キャップ当接部分
４５・・・・・外装体
６３・・・・・水平スリット
６４・・・・・ストッパー片
７１・・・・・切り欠き
７２・・・・・舌片
７３・・・・・保持凸部
９９・・・・・テスター用棒状化粧料
１００・・・・・市販棒状化粧料
【図１】
2015104414.tif 000003
【図２】
2015104414.tif 000004
【図３】
2015104414.tif 000005
【図４】
2015104414.tif 000006
【図５】
2015104414.tif 000007
【図６】
2015104414.tif 000008
【図７】
2015104414.tif 000009
【図８】
2015104414.tif 000010
【図９】
2015104414.tif 000011
【図１０】
2015104414.tif 000012
【図１１】
2015104414.tif 000013
【図１２】
2015104414.tif 000014
【図１３】
2015104414.tif 000015
【図１４】
2015104414.tif 000016
【図１５】
2015104414.tif 000017
【図１６】
2015104414.tif 000018
【図１７】
2015104414.tif 000019
【図１８】
2015104414.tif 000020
【図１９】
2015104414.tif 000021
【図２０】
2015104414.tif 000022
【図２１】
2015104414.tif 000023